【手続補正書】
【提出日】平成18年11月20日(2006.11.20)
【手続補正１】
【補正対象書類名】明細書
【補正対象項目名】発明の名称
【補正方法】変更
【補正の内容】
【発明の名称】関数関連情報の表示方法および関数用電子計算機
【手続補正２】
【補正対象書類名】明細書
【補正対象項目名】特許請求の範囲
【補正方法】変更
【補正の内容】
【特許請求の範囲】
【請求項１】  三角関数の公式を表示するように指示する指示情報を入力するステップと、
前記入力された指示情報が表す三角関数の公式を表示するとともに、三角関数の公式を説明するための説明図を表示するステップとを含むことを特徴とする関数関連情報の表示方法。
【請求項２】  前記表示された三角関数の公式の変数の値を入力するステップと
前記入力された変数の値を三角関数の公式に代入して演算するステップと、
演算結果を表示するステップとを含むことを特徴とする請求項１記載の関数関連情報の表示方法。
【請求項３】  三角関数の公式を表示するように指示する指示情報と、三角関数の公式の変数の値とを入力する入力手段と、
情報を表示する表示手段と、
前記入力手段によって入力された指示情報が表す三角関数の公式を前記表示手段に表示させるとともに、三角関数の公式を説明するための説明図を該表示手段に表示させ、さらに該入力手段によって入力された前記変数の値を前記表示された三角関数の公式に代入して演算する演算手段とを含むことを特徴とする関数用電子計算機。
【請求項４】  前記演算手段は、前記説明図を表示させた状態で入力された前記変数の値を、三角関数の公式の変数に代入して演算処理することを特徴とする請求項３記載の関数用電子計算機。
【請求項５】  前記入力手段は、三角関数の演算を実行させるための関数演算キーを備え、
関数演算キーを連続操作することによって前記指示情報を入力する構成であることを特徴とする請求項３記載の関数用電子計算機。
【手続補正３】
【補正対象書類名】明細書
【補正対象項目名】０００１
【補正方法】変更
【補正の内容】
【０００１】
【発明の属する技術分野】
本発明は、関数関連情報の表示方法および関数用電子計算機に関する。
【手続補正４】
【補正対象書類名】明細書
【補正対象項目名】０００５
【補正方法】変更
【補正の内容】
【０００５】
本発明の目的は、表示機能を向上することができ、容易かつ即座に数式の演算を行うことができる関数関連情報の表示方法および関数用電子計算機を提供することである。
【手続補正５】
【補正対象書類名】明細書
【補正対象項目名】０００６
【補正方法】変更
【補正の内容】
【０００６】
【課題を解決するための手段】
本発明は、三角関数の公式を表示するように指示する指示情報を入力するステップと、
前記入力された指示情報が表す三角関数の公式を表示するとともに、三角関数の公式を説明するための説明図を表示するステップとを含むことを特徴とする関数関連情報の表示方法である。
【手続補正６】
【補正対象書類名】明細書
【補正対象項目名】０００７
【補正方法】変更
【補正の内容】
【０００７】
本発明に従えば、三角関数の公式を表示するように指示する指示情報が入力されると、入力された指示情報が表す三角関数の公式および三角関数の公式を説明するための説明図、換言すれば三角関数の公式の理解を容易にするための補助的な図が表示される。したがってユーザは、三角関数の公式を忘れてしまった場合でも、表示される三角関数の公式および三角関数の公式を説明するための説明図を参照することによって、容易に所望する三角関数の演算を行うことができる。これによって利便性が向上し、演算に要する時間を短縮することができる。
【手続補正７】
【補正対象書類名】明細書
【補正対象項目名】０００８
【補正方法】変更
【補正の内容】
【０００８】
また本発明は、前記表示された三角関数の公式の変数の値を入力するステップと
前記入力された変数の値を三角関数の公式に代入して演算するステップと、
演算結果を表示するステップとを含むことを特徴とする。
【手続補正８】
【補正対象書類名】明細書
【補正対象項目名】０００９
【補正方法】変更
【補正の内容】
【０００９】
本発明に従えば、表示された三角関数の公式の変数の値、たとえば角度を示す変数および前記角度を挟む２辺のうち一方の辺の長さを示す変数の値が入力されると、入力された変数の値が三角関数の公式に代入されて演算が実行される。演算が実行された後は、演算結果、たとえば前記２辺のうち他方の辺の長さを示す変数の値が表示される。三角関数の公式および三角関数の公式を説明するための説明図が表示された状態で、演算結果が表示されるので、ユーザは三角関数の演算内容を容易かつ即座に把握することができる。これによって利便性が向上し、演算に要する時間を短縮することができる。
【手続補正９】
【補正対象書類名】明細書
【補正対象項目名】００１０
【補正方法】変更
【補正の内容】
【００１０】
また本発明は、三角関数の公式を表示するように指示する指示情報と、三角関数の公式の変数の値とを入力する入力手段と、
情報を表示する表示手段と、
前記入力手段によって入力された指示情報が表す三角関数の公式を前記表示手段に表示させるとともに、三角関数の公式を説明するための説明図を該表示手段に表示させ、さらに該入力手段によって入力された前記変数の値を前記表示された三角関数の公式に代入して演算する演算手段とを含むことを特徴とする関数用電子計算機である。
【手続補正１０】
【補正対象書類名】明細書
【補正対象項目名】００１１
【補正方法】変更
【補正の内容】
【００１１】
本発明に従えば、三角関数の公式を表示するように指示する指示情報と、三角関数の公式の変数の値とが入力手段によって入力されると、入力された指示情報が表す三角関数の公式が表示手段に表示されるとともに、三角関数の公式を説明するための説明図、換言すれば三角関数の公式の理解を容易にするための補助的な図が表示手段に表示される。さらに演算手段によって、入力手段によって入力された前記変数の値が前記表示された三角関数の公式に代入されて演算が実行される。したがってユーザは、三角関数の公式を忘れてしまった場合でも、表示手段に表示される三角関数の公式および三角関数の公式を説明するための説明図を参照することによって、容易に三角関数の演算を行うことができる。これによって利便性が向上し、演算に要する時間を短縮することができる。
【手続補正１１】
【補正対象書類名】明細書
【補正対象項目名】００１２
【補正方法】変更
【補正の内容】
【００１２】
また本発明は、前記演算手段は、前記説明図を表示させた状態で入力された前記変数の値を、三角関数の公式の変数に代入して演算処理することを特徴とする。
【手続補正１２】
【補正対象書類名】明細書
【補正対象項目名】００１３
【補正方法】変更
【補正の内容】
【００１３】
本発明に従えば、ユーザは、三角関数の公式を説明するための説明図が表示された状態で、三角関数の公式の変数の値を入力することができ、その入力された変数の値が前記公式の変数に代入されて、演算手段によって演算処理が実行される。したがってユーザは、三角関数の演算内容を容易かつ即座に把握することができる。これによって利便性が向上し、演算に要する時間を短縮することができる。
【手続補正１３】
【補正対象書類名】明細書
【補正対象項目名】００１４
【補正方法】変更
【補正の内容】
【００１４】
また本発明は、前記入力手段は、三角関数の演算を実行させるための関数演算キーを備え、
関数演算キーを連続操作することによって前記指示情報を入力する構成であることを特徴とする。
【手続補正１４】
【補正対象書類名】明細書
【補正対象項目名】００１５
【補正方法】変更
【補正の内容】
【００１５】
本発明に従えば、関数演算キーが連続操作されると、三角関数の公式を表示するように指示する指示情報が入力され、三角関数の公式および三角関数の公式を説明するための説明図が表示手段に表示される。したがってユーザは、三角関数の公式を忘れてしまった場合でも、表示手段に表示される三角関数の公式および三角関数の公式を説明するための説明図を参照することによって、容易に三角関数の演算を行うことができる。これによって利便性が向上し、演算に要する時間を短縮することができる。
また、表示手段に三角関数の公式および三角関数の公式を説明するための説明図を表示させるときに、三角関数の演算を実行させるための関数演算キーを兼用して入力操作を行うことによって、三角関数用電子計算機の入力手段に、さらに他の機能を実行させるためのキーを設けることができる。これによって、入力手段の領域を有効に使うことができるとともに、三角関数用電子計算機のコストの低減を図ることができる。
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００８７
【補正方法】変更
【補正の内容】
【００８７】
【発明の効果】
以上のように本発明によれば、ユーザは三角関数の公式を忘れてしまった場合でも、表示される三角関数の公式および三角関数の公式を説明するための説明図を参照することによって、容易に所望する三角関数の演算を行うことができる。これによって利便性が向上し、演算に要する時間を短縮することができる。
【手続補正２３】
【補正対象書類名】明細書
【補正対象項目名】００８８
【補正方法】変更
【補正の内容】
【００８８】
また本発明によれば、三角関数の公式および三角関数の公式を説明するための説明図が表示された状態で、演算結果が表示されるので、ユーザは三角関数の演算内容を容易かつ即座に把握することができる。これによって利便性が向上し、演算に要する時間を短縮することができる。
【手続補正２４】
【補正対象書類名】明細書
【補正対象項目名】００８９
【補正方法】変更
【補正の内容】
【００８９】
また本発明によれば、ユーザは三角関数の公式を忘れてしまった場合でも、表示手段に表示される三角関数の公式および三角関数の公式を説明するための説明図を参照することによって、容易に三角関数の演算を行うことができる。これによって利便性が向上し、演算に要する時間を短縮することができる。
【手続補正２５】
【補正対象書類名】明細書
【補正対象項目名】００９０
【補正方法】変更
【補正の内容】
【００９０】
また本発明によれば、ユーザは三角関数の公式を説明するための説明図が表示された状態で、三角関数の公式の変数の値を入力することができ、その入力された変数の値が前記公式の変数に代入されて、演算手段によって演算処理が実行される。したがってユーザは、三角関数の演算内容を容易かつ即座に把握することができる。これによって利便性が向上し、演算に要する時間を短縮することができる。
【手続補正２６】
【補正対象書類名】明細書
【補正対象項目名】００９１
【補正方法】変更
【補正の内容】
【００９１】
また本発明によれば、ユーザは三角関数の公式を忘れてしまった場合でも、表示手段に表示される三角関数の公式および三角関数の公式を説明するための説明図を参照することによって、容易に三角関数の演算を行うことができる。これによって利便性が向上し、演算に要する時間を短縮することができる。また、表示手段に三角関数の公式および三角関数の公式を説明するための説明図を表示させるときに、三角関数の演算を実行させるための関数演算キーを兼用して入力操作を行うことによって、三角関数用電子計算機の入力手段に、さらに他の機能を実行させるためのキーを設けることができる。これによって、入力手段の領域を有効に使うことができるとともに、三角関数用電子計算機のコストの低減を図ることができる。
【手続補正２７】
【補正対象書類名】明細書
【補正対象項目名】００９２
【補正方法】削除
【補正の内容】